(57)【要約】【課題】  小型・低コストな構成で用紙の位置を検知すると共に、帯電した用紙の除電を行うことを可能にする用紙搬送装置を提供する。【解決手段】  用紙搬送経路１中に設けられ、回転制御される検知ローラ３と、検知ローラ３と対向する位置に設けられた、導電性を有する検知部材４と、を備え、検知ローラ３における表面には、導電性を有する導電部５が螺旋状に設けられ、導電部５と検知部材４とが、電気的に接続された状態と、電気的に絶縁された状態との双方を検知し、これらの状態から導電部５と検知部材４との間の抵抗値変化を検出して、用紙の位置を検知する検知手段１１を備えさせることにより、小型かつ低コストで用紙位置を検出できる。【選択図】  図２
2009234684.tif 000002
【特許請求の範囲】
【請求項１】
用紙が搬送される用紙搬送経路中に設けられ、その搬送方向と平行な用紙側端の位置を検出するために、搬送される用紙に接しその搬送に合わせて回転するとともに、自身の外周面にその回転に従って用紙と接触可能な、該用紙の側端を検知するための導電部を備えた検知ローラと、
その検知ローラに対向して設けられ、その検知ローラの回転を許容しつつ該ローラと接することにより前記導電部と電気的に接続される一方、その検知ローラとの間に前記用紙を通過させることにより、絶縁体としてのその用紙により前記電気的な接続状態が遮断されることとなる導電検知部材と、
前記検知ローラの導電部と前記導電検知部材との電気的な接続状態と遮断状態との信号を取り込み、その信号の変化に基づいて前記用紙の側端の位置を判断する判断手段と、
を備えることを特徴とする用紙搬送装置。
【請求項２】
用紙が搬送される用紙搬送経路中に設けられ、回転制御される検知ローラと、
前記用紙搬送経路を挟んで前記検知ローラと対向する位置に設けられた導電性を有する検知部材と、を備え、
前記検知ローラにおける軸長間にわたる表面には、導電性を有する導電部が前記検知ローラの回転軸心に対し、斜行状態で少なくとも１周するように螺旋状に設けられ、
前記検知部材には、前記検知ローラの回転時に、前記導電部の一部分と電気的に接触する接触領域が設けられ、
前記検知ローラと前記検知部材との間に前記用紙が存在しない状態で、前記検知ローラの回転にともなって、前記検知部材の接触領域を移動する前記導電部の一部分によって変化する前記検知部材と導電部との間の抵抗値と、
前記検知ローラと前記検知部材との間に前記用紙が介在する状態で、その用紙によって前記検知部材の接触領域を移動する前記導電部の一部分が電気的に絶縁されることによって変化する前記検知部材と導電部との間の抵抗値とを検出して、用紙の位置を検知する検知手段を備えさせることを特徴とする用紙搬送装置。
【請求項３】
前記用紙搬送経路には前記用紙を搬送するための搬送ローラが設けられ、該搬送ローラと前記検知ローラとは同軸駆動されることを特徴とする請求項１又は２に記載の用紙搬送装置。
【請求項４】
前記検知ローラは、用紙搬送経路の搬送方向と直交する幅方向の両側のすくなくとも一方に配置されることを特徴とする請求項１ないし３のいずれか１項に記載の用紙搬送装置。
【請求項５】
前記検知ローラの軸方向における外端は、搬送される前記用紙の最大幅よりも外側に位置されることを特徴とする請求項１ないし４のいずれか１項に記載の用紙搬送装置。
【請求項６】
前記検知ローラの前記導電部によって、帯電した前記用紙の除電を行うことを特徴とする請求項１ないし５のいずれか１項に記載の用紙搬送装置。
【請求項７】
前記検知ローラの前記導電部が、導電性ブラシであることを特徴とする請求項１ないし６のいずれか１項に記載の用紙搬送装置。
【請求項８】
前記検知ローラの前記導電部が、導電性スポンジであることを特徴とする請求項１ないし６のいずれか１項に記載の用紙搬送装置。
【請求項９】
前記検知ローラの前記導電部が、導電性弾性部材であることことを特徴とする請求項１ないし６のいずれか１項に記載の用紙搬送装置。
【発明の詳細な説明】
【技術分野】
【０００１】
本発明は、用紙位置を検出する機能を備える用紙搬送装置に関する。
【背景技術】
【０００２】
プリンタ、スキャナ、複写機、ファクシミリ、それらを含む複合機などの画像形成装置や、これら画像形成装置に附設する穴あけ処理するための用紙穿孔装置、ステイプル処理するための用紙処理装置などには、用紙を搬送するための用紙搬送経路が備わっており、この用紙搬送経路には、搬送される用紙の位置を検出するための用紙位置検出装置が設けられている（特許文献１参照）。
【０００３】
【特許文献１】特開平８−７３０７３号公報
【発明の開示】
【発明が解決しようとする課題】
【０００４】
上記特許文献１における用紙位置検出装置は、用紙が占める搬送領域面に対応して複数のセンサが設置されており、この各センサはフォトインタラプタとレバーで各々構成されている。そして、搬送領域面に用紙が配置されていない場合には、フォトインタラプタ内にレバーが配置されていて、レバーにより光が遮断され、非透過の状態になっている。これに対して、搬送領域面上に用紙が配置されると、この用紙に押されて、この用紙と対応している部分のセンサにおけるレバーがフォトインタラプタより外れた位置に回動されて遮断を解き、透過の状態となる。このように各センサからの非透過・透過の信号によって用紙の有無を検出している。
【０００５】
また、面を互いに平行となして一対の短冊状電極を用紙搬送面に配置し、この両短冊状電極間を搬送される用紙によって変化する短冊状電極間の静電容量を検出することによって用紙の位置を検知している。
【０００６】
しかしながら、前者における複数のセンサとレバーを用いた用紙位置検出装置では、レバーの機構が複雑であるため、装置が大型化してしまう問題と、コストアップにつながるという問題がある。また、用紙の幅方向の端がどのセンサとセンサとの間にあるのか検出できない。そこで、用紙の幅方向の端の位置をより高精度で検出するためには、センサとレバーを密度高く配置すれば良いが、密度を高くすると構造的に複雑になる問題点があった。
【０００７】
また、後者の静電容量変化による検知では、電極間の距離や、用紙の誘電率、用紙の厚さなどが影響するため、電極の設置精度を高くしなければならず、また、誘電率と厚さの決まった特定の用紙しか検知できないという問題がある。
【０００８】
本発明の課題は、小型・低コストな構成で用紙の位置を検知すると共に、帯電した用紙の除電を行うことを可能にする用紙搬送装置を提供することにある。
【課題を解決するための手段及び発明の効果】
【０００９】
上記課題を解決するために、本発明の用紙搬送装置は、用紙が搬送される用紙搬送経路中に設けられ、その搬送方向と平行な用紙側端の位置を検出するために、搬送される用紙に接しその搬送に合わせて回転するとともに、自身の外周面にその回転に従って用紙と接触可能な、該用紙の側端を検知するための導電部を備えた検知ローラと、その検知ローラに対向して設けられ、その検知ローラの回転を許容しつつ該ローラと接することにより前記導電部と電気的に接続される一方、その検知ローラとの間に前記用紙を通過させることにより、絶縁体としてのその用紙により前記電気的な接続状態が遮断されることとなる導電検知部材と、前記検知ローラの導電部と前記導電検知部材との電気的な接続状態と遮断状態との信号を取り込み、その信号の変化に基づいて前記用紙の側端の位置を判断する判断手段と、を備えることを特徴とする。
【００１０】
上記構成とすることにより、用紙が搬送され、検知ローラと導電検知部材との間まで用紙が移動すると、絶縁体である用紙によって電気的な遮断状態の導電部と、電気的な接続状態の導電部とが生じる。すると判定手段によって遮断および接続状態の導電部の位置が特定される。このように特定される遮断および接続状態の導電部の間に、用紙の側端が位置しているとの判断ができる。また、検知ローラの回転中に連続して用紙の側端の位置を判断することができるため、用紙がスキューした場合の判断も可能となる。
【００１１】
上記課題を解決するために、本発明の用紙搬送装置は、用紙が搬送される用紙搬送経路中に設けられ、回転制御される検知ローラと、前記用紙搬送経路を挟んで前記検知ローラと対向する位置に設けられた、導電性を有する検知部材と、を備え、前記検知ローラにおける軸長間にわたる表面には、導電性を有する導電部が前記検知ローラの回転軸心に対し、斜行状態で１周するように螺旋状に設けられ、前記検知ローラと前記検知部材との間に前記用紙が存在しない個所で、前記導電部と前記検知部材とは電気的に接続され、前記検知ローラと前記検知部材との間に前記用紙が介在する個所で、その用紙によって前記導電部と前記検知部材とは電気的に絶縁され、前記導電部と前記検知部材とが、電気的に接続された状態と、電気的に絶縁された状態との双方を検知し、これらの状態から前記検知ローラの前記導電部と前記検知部材との間の抵抗値変化を検出して、用紙の位置を検知する検知手段を備えさせることを特徴とする。
【００１２】
上記構成とすることにより、検知ローラの導電部と、検知部材を備える一組のセンサ部を、用紙搬送経路中に配置することにより、用紙における側端の位置を検出できるため、背景技術のように複数のセンサなどを用いる装置に比べて、小型かつ低コストで用紙位置を検出できるという効果がある。また、導電部を検知ローラに斜行して取り付けているため、検知ローラの回転に伴い、用紙の検出位置を移動させることが可能となり、簡単な構成で広い用紙検出範囲を得ることができるという効果がある。また、導電部が検知ローラを１周するように螺旋状に取り付けられているため、検知ローラの一方向のみの単純な回転制御で連続して検出でき、しかも、検知ローラの回転数の増減で多様な搬送速度にも対応することができるという効果がある。
【００１３】
また、上記課題を解決するために、前記用紙搬送経路には前記用紙を搬送するための搬送ローラが設けられ、該搬送ローラと前記検知ローラとは同軸駆動されることを特徴とすることにより、モータなどの駆動機構を単一化して兼用することが可能となり、小型かつ低コスト化できるという効果がある。
【００１４】
また、上記課題を解決するために、前記検知ローラは、用紙搬送経路の搬送方向と直交する幅方向の両側のすくなくとも一方に配置されることを特徴とすることにより、例えば、搬送する用紙のサイズがわかっていない場合は、幅方向双方の検知ローラで用紙における側端の位置を検知できるため、幅方向両側の用紙における側端の位置がわかるので、用紙サイズを検出できるという効果がある。また、搬送する用紙のサイズがわかっている場合、幅方向両側のどちらかの検知ローラで用紙における一方の側端の位置を検知することにより、用紙における他方の側端の位置が算出可能となるので、幅方向両側のどちらか一方という単純な構成で用紙における幅方向の側端の位置を検出できるという効果がある。
【００１５】
また、上記課題を解決するために、前記検知ローラの軸方向における外端は、搬送される前記用紙の最大幅よりも外側に位置されることを特徴とすることにより、どのような大きさ用紙が搬送されてきても確実に用紙における側端の位置を検出できるという効果がある。
【００１６】
また、上記課題を解決するために、前記検知ローラの前記導電部によって、帯電した前記用紙の除電を行うことを特徴とすることにより、除電用の機構を別個に用意する必要がないので、装置の小型化かつ低コスト化につながるという効果がある。
【００１７】
また、上記課題を解決するために、前記検知ローラの前記導電部が、導電性ブラシや、導電性スポンジ、または導電性弾性部材であることを特徴とすることにより、例えば、導電部が導電性ブラシであれば、検知ローラと検知部材の接触圧を低減でき、用紙の搬送性能への影響を少なくできるという効果がある。また、導電性スポンジであれば、導電性ブラシを使用した時のようにブラシ抜けやブラシ切れなどの影響がないため、装置の信頼性を高めることができるという効果がある。また、導電部が導電性弾性部材であれば、導電性ブラシや導電性スポンジに比べ、耐久性に優れるため、用紙との接触による磨耗などの影響を少なくでき、装置の信頼性を高めることができるという効果がある。
【発明を実施するための最良の形態】
【００１８】
以下、本発明の実施の形態につき図面を参照して説明する。図１は本発明の実施の形態に係る用紙搬送装置を示す概略構成図、図２は図１のＢ矢視図である。図１において、用紙Ｐが搬送される用紙搬送経路１には、搬送ローラ２が配置されている。該搬送ローラ２は、モータ等の駆動手段Ｍ１によって駆動される駆動ローラ２ａと、図示しないスプリングなどの弾性部材によって所定圧で駆動ローラ２ａに接触する従動ローラ２ｂとによって一対で構成されている。
【００１９】
この駆動ローラ２ａと、それに従動回転する従動ローラ２ｂの回転によって、用紙Ｐが挟まれながら、用紙搬送経路１を矢印Ａの用紙搬送方向に搬送される。
【００２０】
この用紙搬送経路１は、図示しないプリンタ、スキャナ、複写機、ファクシミリ、それらを含む複合機などの画像形成装置や、該画像形成装置に附設する穴あけ処理するための用紙穿孔装置、ステイプル処理するための用紙処理装置などに設けられる。
【００２１】
また、用紙搬送経路１は、用紙搬送方向と直交する幅方向Ｗの間隔Ｗ１を、用紙Ｐの最大幅Ｐ１よりも幅広となしている。
【００２２】
用紙位置を検出するための検知ローラ３は、搬送ローラ２よりも用紙搬送方向の下流側に配置している。検知ローラ３はモータ等の駆動手段Ｍ２によって駆動され、用紙搬送経路１の幅方向Ｗにおける両側方の２個所に配置されている。この検知ローラ３の軸方向の一方の外端３ａを、用紙搬送経路１の側縁１ａよりも外側に位置させている。
【００２３】
また、この検知ローラ３と用紙搬送経路１を挟んで対向する位置には、図示しないスプリングなどの弾性部材によって所定圧で検知ローラ３の回転を許容しつつ接触させる検知部材４が配置されている。この検知部材４と検知ローラ３とによって一組のセンサ部６を構成している。検知部材４は、金属や、アクリル、ポリエステル等の樹脂に金属メッキを施したものや、また、樹脂にカーボン、金属粉等を炭化し、導電性を付与した材質によって形成される。また、検知部材４は断面円弧状に形成され、その長さを検知ローラ３の軸長Ｌ１よりも長くしている。これによって、検知ローラ３の軸長Ｌ１間との接触部位を直線形態となしている。また、検知部材４の形態としては、図示しないも円筒状若しくは円柱状の形態としてもよい。
【００２４】
また、図３に示すように、検知ローラ３における軸長Ｌ１間にわたる表面上には、導電部５が設けられている。この導電部５は検知ローラ３の回転軸心Ｃに対して斜行しており、具体的には、検知ローラ３の軸長Ｌ１間で一周するように螺旋状に配置されている。
【００２５】
この導電部５は、図４に示すように、所定の比抵抗を有する材質のものが使用される。例えば、直径８〜２０μｍ程度のステンレス繊維や、アクリル、ポリエステル等の樹脂繊維に金属メッキを施したものや、また、樹脂にカーボン、金属粉等を炭化し、導電性を付与した炭素繊維等の柔軟性を有するブラシ素材５ａを使用している。そして、このブラシ素材５ａを、帯状に形成した所定の比抵抗を有する基材５ｂに植毛することによって導電性ブラシとなしている。この導電性ブラシを検知ローラ３の表面に上記のように螺旋状に固定している。
【００２６】
また、検知ローラ３における導電部５としての導電性ブラシと、検知部材４とは、所定圧で接触され、電気的に接続された状態で配置されている。
【００２７】
また、検知ローラ３の回転距離Ｒ１と軸長Ｌ１とは、図５（ａ）の展開図に示すように、回転距離Ｒ１と軸長Ｌ１を同じに設定したり、また、図５（ｂ）に示すよう回転距離Ｒ１に対して軸長Ｌ１を長く設定したり、また、図５（ｃ）に示すように、軸長Ｌ１に対して回転距離Ｒ１を長く設定することができる。
【００２８】
また、搬送ローラ２の駆動手段Ｍ１と、検知ローラ３の駆動手段Ｍ２とは、制御装置１０に接続されている（図２参照）。この制御装置１０は、マイクロコンピュータが使用される。このマイクロコンピュータの構成は周知であるため詳しい説明は省略するが、Ｉ／Ｏポートと、ＣＰＵ、ＲＯＭ及びＲＡＭを備えて、これらがバスで接続されたものである。記憶部として機能するＲＯＭ及びＲＡＭのうち、ＲＯＭには演算等に必要な制御のための公知の各種プログラムが格納されている。
【００２９】
また、図６に示すように、検知ローラ３の導電部５と、検知部材４とは検知回路１１に接続されている。この検知回路１１は、用紙Ｐの位置を検知することができる検出手段として機能する。
【００３０】
この検知回路１１の機能は、搬送される用紙Ｐが一組のセンサ部６を通過する際に実行される。この用紙Ｐの通過状態は、センサ部６における検知ローラ３と検知部材４との間に用紙Ｐが存在しない個所で、導電部５と検知部材４とは電気的に接続される状態と、センサ部６における検知ローラ３と検知部材４との間に用紙Ｐが介在する個所で、その用紙Ｐによって導電部５と検知部材４とは電気的に絶縁される状態である。
【００３１】
このように、導電部５と検知部材４とが、電気的に接続された状態と、電気的に絶縁された状態との両方を検知し、これら両状態から検知ローラ３の導電部５と検知部材４との間の抵抗値変化によって、用紙Ｐの位置を検知する。そして抵抗値変化に基づいて制御装置１０に検出信号を出力するように接続されている。
【００３２】
つぎに、本発明の用紙搬送装置の作用について説明する。図６は用紙位置の検出状態を示す部分拡大斜視図、図７は図６のＡ１矢視図、図８は用紙位置の検出状態を示す模式図である。図６ないし図８において、検知部材４直上の導電部５の一部である接触部５ｃは、搬送ローラ２と同期連動する検知ローラ３の回転に伴い、該検知ローラ３の一回転分として、図８に示すように、直線Ｅを描くように移動する。
【００３３】
図８において、直線Ｅ（導電部５）と用紙Ｐが重なっている部分は、検知ローラ３の導電部５と検知部材４の間に用紙Ｐが存在する範囲で、その用紙Ｐによって検知ローラー３の導通部材５と検知部材４とは電気的に絶縁される。
【００３４】
逆に、直線Ｅ（導電部５）と用紙Ｐが重なっていない部分は、検知ローラ３の導電部５と検知部材４の間に用紙が存在しない範囲で、導電部５の一部である接触部５ｃと検知部材４とは電気的に接続される。
【００３５】
図１３は、検知回路１１の一例としての構成例であり、トランジスタ１１ａを用いて導電部５と検知部材４との間の抵抗値変化を検知するものとなっている。導電部５と検知部材４の間に用紙が存在しない場合、導電部５から検知部材４に電流が流れ、トランジスタ１１ａがＯＮ状態になる。一方、導電部５と検知部材４の間に用紙が存在する場合、導電部５から検知部材４に電流が流れないため、トランジスタ１１ａはＯＦＦ状態になる。このトランジスタ１１ａのＯＮ／ＯＦＦ状態は、Ａ点の電位を観測することで把握可能であり、一般的には制御装置１０のＣＰＵの入力ポートに接続されてモニタリングされるようになっている。
【００３６】
したがって、上記のように導電部５と検知部材４との間の抵抗値変化を検知回路１１で検出し、この抵抗値に基づいたＯＮ／ＯＦＦの検出信号を繰り返し出力する。この検出信号におけるＯＮ信号の幅Ｄが検知ローラ３の回転距離Ｒ１の一部となることにより、かかる幅Ｄに基づいて、検知ローラ３の外端３ａから用紙Ｐの幅方向における側端Ｐ２までの距離Ｌ２、すなわち用紙位置が単純な演算・制御で検知可能となる。本例では検知ローラ３の軸長Ｌ１と検知ローラ３の一回転の回転距離Ｒ１を同じに設定（図５（ａ）参照）することにより、ＯＮ信号における幅Ｄと用紙Ｐの幅方向における一方の側端Ｐ２までの距離とを等しくすることができ、いっそう演算・制御が単純化される。また、検知ローラ３の回転中に連続して用紙Ｐの側端Ｐ２の位置を判断することができるため、用紙Ｐがスキューした場合の判断も可能となる。
【００３７】
また、導電部５の他の実施形態として、図９に示すように、ポリウレタンゴム、ウレタンゴム、シリコーンゴムなどからなる発泡体としての所定の比抵抗を有する導電性スポンジ５ｄを使用することができる。本例の導電性スポンジ５ｄでは断面を矩形状となして、検知ローラ３の表面において、該検知ローラ３の軸長Ｌ１間で一周するように螺旋状に配置されている。この導電性スポンジ５ｄと検知ローラ３との間に、用紙Ｐが存在する個所における接触部５ｃ（図７参照）以外における導電性スポンジ５ｄは、検知部材４と接することとなり、上記実施の形態と同様に、電気的な絶縁個所と接続個所が生じる。なお、検知部材４を一種の可変抵抗部材として使用し、接触部５ｃの直線的な移動に伴って、該接触部５ｃと検知部材４のいずれか一方端との間の可変する抵抗値を計測することも可能である。
【００３８】
また、導電部５の他の実施形態として、図１０に示すように、所定の比抵抗を有し、かつ板ばね状に形成する導電性弾性部材５ｅを使用することができる。導電性弾性部材５ｅは検知ローラ３の表面において、該検知ローラ３の軸長Ｌ１間で一周するように螺旋状に配置されている。この導電性弾性部材５ｅと検知ローラ３との間に、用紙Ｐが存在する個所における接触部５ｃ（図７参照）以外における導電性弾性部材５ｅは、検知部材４と接することとなり、上記実施の形態と同様に、電気的な絶縁個所と接続個所が生じる。
【００３９】
図１１は、検知ローラ３を、搬送ローラ２と同軸に設置した場合を示す。このように、同軸であるため、モータ等の駆動機構を、例えば、駆動手段Ｍ１にして、単一化を図って兼用することが可能となり、小型かつ低コスト化できる。
【００４０】
つぎに、用紙搬送装置の他の実施の形態について説明する。この例による他の構成について、上述の他の実施の形態における構成と同一であるところの詳細な説明は省略する。図１２に示すように、用紙搬送方向（矢印Ａ）と平行な用紙Ｐ側端Ｐ２の位置を検出するために、搬送される用紙Ｐに接しその搬送に合わせて回転するとともに、自身の外周面にその回転に従って用紙Ｐと接触可能な、該用紙Ｐの側端Ｐ２を検知するための導電部５を備えた検知ローラ３を備える。
【００４１】
この導電部５は、環状に形成される環状導電部５ｇを検知ローラ３の外周面に、その軸心方向に所定の間隔をもって複数配設している。これら環状導電部５ｇは、検知ローラ３の外周に埋設され、環状導電部５ｇの外周縁５ｇ１と検知ローラ３の外周面とを面一状態となしている。これら複数の環状導電部５ｇは判定手段１２と接続されている。
【００４２】
また、検知ローラ３に対向して設けられ、その検知ローラ３の回転を許容しつつ該検知ローラ３の導電部５と接することにより、導電部５と電気的に接続される一方、その検知ローラ３との間に用紙Ｐを通過させることにより、絶縁体としてのその用紙Ｐにより電気的な接続状態が遮断されることとなる導電検知部材４ａが設けられる。この導電検知部材４ａは、円筒状若しくは円柱状となし、金属や、アクリル、ポリエステル等の樹脂に金属メッキを施したものや、また、樹脂にカーボン、金属粉等を炭化し、導電性を付与した材質によって形成される。また、この導電検知部材４ａは判定手段１２と接続されている。
【００４３】
判定手段１２は、検知ローラ３における導電部５の環状導電部材５ｇと導電検知部材４ａとの電気的な接続状態と遮断状態との信号を取り込み、その信号の変化に基づいて用紙Ｐの側端Ｐの位置を判断する。すなわち、図１２に示すように、用紙Ｐが搬送され、検知ローラ３と導電検知部材４ａとの間まで用紙Ｐが移動すると、絶縁体である用紙Ｐによって電気的な遮断状態の環状導電部材５ｇと、電気的な接続状態の環状導電部材５ｇとが生じる。すると判定手段１２によって遮断および接続状態の導電部５としての環状導電部材５ｇの位置が特定される。このように特定される遮断および接続状態の環状導電部材５ｇの間に、用紙Ｐの側端Ｐ２が位置していると判断する。また、検知ローラ３の回転中に連続して用紙Ｐの側端Ｐ２の位置を判断することができるため、用紙Ｐがスキューした場合の判断も可能となる。
【図面の簡単な説明】
【００４４】
【図１】本発明の用紙搬送装置を示す概略構成図。
【図２】図１のＢ矢視図。
【図３】検知ローラを示す斜視図。
【図４】導電部としての導電性ブラシを示す図。
【図５】検知ローラの複数の展開図。
【図６】用紙位置の検出状態を示す部分拡大斜視図。
【図７】図６のＡ１矢視図。
【図８】用紙位置の検出状態を示す模式図。
【図９】導電性スポンジを備える検知ローラの斜視図。
【図１０】導電性弾性部材を備える検知ローラの斜視図。
【図１１】検知ローラと搬送ローラとを同軸に配置した形態を示す図。
【図１２】本発明の用紙搬送装置の他の例を示す概略構成図。
【図１３】検知回路を示す概略構成図。
【符号の説明】
【００４５】
１          用紙搬送経路
２          搬送ローラ
３          検知ローラ
３ａ        外端
４          検知部材
５          導電部（導電性ブラシ）
５ｄ        導電性スポンジ
５ｅ        導電性弾性部材
５ｆ        導電部
１１        検知回路（検知手段）
１２        判定手段
Ｐ          用紙
Ｐ１        最大幅
Ｐ２        側端
Ｌ１        軸長
Ｃ          回転軸心
【図１】
2009234684.tif 000003
【図２】
2009234684.tif 000004
【図３】
2009234684.tif 000005
【図４】
2009234684.tif 000006
【図５】
2009234684.tif 000007
【図６】
2009234684.tif 000008
【図７】
2009234684.tif 000009
【図８】
2009234684.tif 000010
【図９】
2009234684.tif 000011
【図１０】
2009234684.tif 000012
【図１１】
2009234684.tif 000013
【図１２】
2009234684.tif 000014
【図１３】
2009234684.tif 000015